(57)【要約】【課題】  同一の原稿搬送ローラを正逆回転させて両面読み取りを円滑に行わせるようにした両面画像読取装置の提供。【解決手段】  正転と逆転が可能なローラ状の原稿搬送手段７と、前記原稿搬送手段７により搬送される原稿の画像を読み取る読取手段１ｃとを備え、前記原稿搬送手段７の外周に原稿ガイドを設け、かつ、前記原稿ガイドの下面に前記読取手段１ｃを配置して成る画像読取装置において、前記読取手段１ｃを構成する読取ガラス１２の搬送方向前後には、前記読取ガラス１２側の端部が、前記読取ガラス１２の読取面より下方に位置する第１の原稿ガイド面１０１ｃ，１０２ｃと、ガイド面の延長線が、前記読取ガラス１２の原稿搬送方向の前記ガイド面側の垂直面より上方に位置する第２の原稿ガイド面１０１ａ，１０２ａ、の少なくとも２つのガイド面から各々構成される前記原稿ガイドを有することを特徴とする画像読取装置。【選択図】        図１４
2006180259.tif 000002
【特許請求の範囲】
【請求項１】
正転と逆転が可能なローラ状の原稿搬送手段と、前記原稿搬送手段により搬送される原稿の画像を読み取る読取手段とを備え、前記原稿搬送手段の外周に原稿ガイドを設け、かつ、前記原稿ガイドの下面に前記読取手段を配置して成る画像読取装置において、
前記読取手段を構成する読取ガラスの搬送方向前後には、前記読取ガラス側の端部が、前記読取ガラスの読取面より下方に位置する第１の原稿ガイド面と、ガイド面の延長線が、前記読取ガラスの原稿搬送方向の前記ガイド面側の垂直面より上方に位置する第２の原稿ガイド面、の少なくとも２つのガイド面から各々構成される前記原稿ガイドを有することを特徴とする画像読取装置。
【請求項２】
前記第２の原稿ガイド面の延長線が、前記読取ガラスの読取位置よりガイド面側で読取面に交差することを特徴とした請求項１記載の画像読取装置。
【請求項３】
前記読取ガラスの読取面の延長線と、前記延長線と前記原稿ガイドの交点における前記原稿ガイドの接線となす角度が、４５°以下であることを特徴とした請求項１または２記載の画像読取装置。
【請求項４】
正転と逆転が可能なローラ状の原稿搬送手段と、前記原稿搬送手段により搬送される原稿の画像を読み取る読取手段とを備え、前記原稿搬送手段の外周に原稿ガイドを設け、かつ、前記原稿ガイドの下面に前記読取手段を配置して成る画像読取装置において、
前記読取手段を構成する読取ガラスと、前記原稿ガイドとを一体成形し、前記読取ガラスの搬送方向端部において前記読取ガラスの読取面と前記原稿ガイドとの段差を無くしたことを特徴とする画像読取装置。
【請求項５】
前記原稿ガイドと前記読取ガラスの境界線において、前記原稿ガイドの角部と前記読取ガラスの読取面の角部に傾斜部を設けたことを特徴とする請求項４記載の画像読取装置。
【発明の詳細な説明】
【技術分野】
【０００１】
本発明は、シートなどの原稿給送装置及びこれを備えた画像読取装置並びに画像形成装置などの一連画像処理システムにあって、特に原稿給送手段により送り出されたシートの片面または両面読取機能を備えた画像読取装置に関する。
【背景技術】
【０００２】
従来の画像読取装置には、両面読取り専用の原稿排出ループ経路を有しているものがある（例えば、特許文献１参照。）。
【０００３】
また、両面読取りのとき、装置外へ原稿を一旦排出し、スイッチバックさせて読取りを行うものもある（例えば、特許文献２参照。）。
【０００４】
以下、図１８および図１９により、従来の両面画像読取装置について説明する。なお部品等の説明番号は、文献と同一としている。
【０００５】
特許文献１に示された原稿両面読取装置は、まず原稿表面を読取りガラス１６上を通過させて走査し、フラッパー８によってローラ９と１８で狭持される方向に原稿を搬送し、スタックガイド１２の方向に原稿を搬送する。
【０００６】
次に、原稿後端をローラ９と１８で狭持したままフラッパー８を切り替え、原稿を逆方向に搬送させてローラ６が原稿を搬送する。
【０００７】
次に、原稿は裏面を読取りガラス１６方向に向けながら移動し、画像の走査後は前述と異なり、フラッパー８がローラ９と１９で狭持される経路でスタックガイド１２方向に原稿を搬送する。
【０００８】
その間に導入ローラ２と搬送ローラ３が次の原稿を１枚引き出してローラ６方向に搬送する。
【０００９】
フラッパー８の位置が切り替わり、２枚目の原稿がローラ９と１８で狭持される方向へ、１枚目の原稿がＵ字形の排出経路を経て、原稿表面を下にしたままローラ２０から排出される。
【００１０】
この発明では、両面が読み終わった原稿を排出するための専用のＵターン経路を有していることが示されている。
【００１１】
次に、図１９において示す特許文献２では、まず、フラッパー１１が下がって原稿を開口部２０の方向へ搬送する。原稿後端をローラ１０と２２で狭持したまま、搬送方向を反転させ、ローラ５によって画像読取り部Ｘへ搬送され、原稿裏面が走査される。
【００１２】
フラッパー１２が原稿をローラ５に巻きつくように案内し、原稿は再度開口部２０方向に搬送される。
【００１３】
そのとき、原稿の後端がまだローラ１０に残っている場合があるので、ローラ２２を情報へ移動させてローラ１０に対して離間し、その間隙を原稿が通過して開口部２０へ向かう。
【００１４】
原稿先端がフラッパー１１を通過したら、ローラ２２を下方に移動させてローラ１０と共に狭持し、原稿を前述と同様に反転搬送させて原稿読取り部Ｘにて原稿表面を走査する。
【００１５】
フラッパー１２は原稿がローラ６方向に案内されるように移動し、原稿は表面を下にしたままローラ６から排出される。
【００１６】
したがって、この発明では、原稿を機外へ一旦排出する構成を備えている。
【特許文献１】特開２００１−２７８５５１号公報
【特許文献２】特開平９−３２８２６３号公報
【発明の開示】
【発明が解決しようとする課題】
【００１７】
しかしながら、従来の構成では、以下のような問題があった。
【００１８】
上記特許文献１、特許文献２ともに、両面読取りを行うための手段が他の手段、例えば、原稿分離手段や原稿排出手段と同じ装置内に組み込まれているため、片面読取り手段と両面読取り手段とを切り離すことが出来なかった。
【００１９】
すなわち、原稿片面読取装置に対して、ユーザーが後から両面読取り機構を追加して原稿両面読取装置に仕立て直すことができず、装置購入初期の段階で、片面単独の機能か、両面機能か、の選択に迫られ、ユーザーにとっては無駄な機能を含んだ高価な装置を購入してしまうこともあった。
【００２０】
こうした従来の装置では、最小限必要な機能からより充実した機能へと拡張可能な装置を安価に提供することができず、ユーザーの利用条件に応じた利便性を向上させることが困難であった。
【００２１】
このような問題を解決するためには、例えば両面読取りを行うための手段を、画像読取ラインをはさんで反対側に移動させ、原稿分離手段や原稿排出手段といった他の手段から切り離すのが一つの方法である。しかし、その際には別の搬送パスを設けない限り読取ライン上を原稿が往復しなければならない。何故ならば別の搬送パスを設けることは、装置の大型化、コストアップにつながり、また同一搬送パスで原稿を往復させると逆方向に原稿を搬送した際に逆段差によりＪＡＭが発生してしまう。
【００２２】
本発明は、このような現状に鑑みてなされたものであり、ＪＡＭなどの発生もなく読取ライン上を原稿が往復することを可能にし、装置のコスト削減及び小型化を実現する画像読取装置を提供することを目的とする。
【課題を解決するための手段】
【００２３】
上記課題を解決するために、本発明の画像読取装置は、以下の構成を備える。
【００２４】
（１）正転と逆転が可能なローラ状の原稿搬送手段と、前記原稿搬送手段により搬送される原稿の画像を読み取る読取手段とを備え、前記原稿搬送手段の外周に原稿ガイドを設け、かつ、前記原稿ガイドの下面に前記読取手段を配置して成る画像読取装置において、
前記読取手段を構成する読取ガラスの搬送方向前後には、前記読取ガラス側の端部が、前記読取ガラスの読取面より下方に位置する第１の原稿ガイド面と、ガイド面の延長線が、前記読取ガラスの原稿搬送方向の前記ガイド面側の垂直面より上方に位置する第２の原稿ガイド面、の少なくとも２つのガイド面から各々構成される前記原稿ガイドを有することを特徴とする画像読取装置。
【００２５】
（２）正転と逆転が可能なローラ状の原稿搬送手段と、前記原稿搬送手段により搬送される原稿の画像を読み取る読取手段とを備え、前記原稿搬送手段の外周に原稿ガイドを設け、かつ、前記原稿ガイドの下面に前記読取手段を配置して成る画像読取装置において、
前記読取手段を構成する読取ガラスと、前記原稿ガイドとを一体成形し、前記読取ガラスの搬送方向端部において前記読取ガラスの読取面と前記原稿ガイドとの段差を無くしたことを特徴とする画像読取装置。
【発明の効果】
【００２６】
本発明によれば、ジャムの発生を防止して原稿を原稿読取ガラス上での往復を可能とすることができ、その結果、原稿両面読取のための原稿反転手段を原稿搬送手段等から切り離すことが可能となり、両面ユニットのオプション化、装置のコストダウン、小型化を計ることが可能となった。
【発明を実施するための最良の形態】
【００２７】
以下に本発明を実施するための最良の形態を、実施例に基づいて説明する。
【００２８】
まず、全体の構成について、図１ないし図１３を参照して説明する。
【００２９】
図１は、本発明の実施の形態に係る両面画像読取装置の斜視図、図２は、詳細断面図である。同図において、５０は画像読取装置、１は画像読取装置５０の上部に取り付けられた原稿給送装置である。２は原稿載置台、３は原稿排出台であり、ブック原稿読取時には原稿押え板となる。４ａ、４ｂは原稿載置台２に設けられ、原稿の搬送方向と直行する幅方向に移動して原稿載置台２に載置された原稿の両側端を揃えるスライダである。
【００３０】
また、１ａは原稿給送装置１の装置本体部であり、この装置本体１ａの内部には、図２に示すように、第１原稿搬送経路に相当する略Ｕ字状の原稿搬送路（以下、Ｕターン経路という）１４が設けられている。なお、このＵターン経路１４の上流端側に接続するように原稿載置台２と共にシート載置部を構成する下ガイドフレーム２１が設けられ、Ｕターン経路１４の下流端側に接続するように原稿排出台３が設けられている。
【００３１】
また、このＵターン経路１４の上流部には、原稿載置台２に積載された最上位の原稿Ｓに当接して、これを送り出す原稿給紙手段であるピックアップローラ１０と、ピックアップローラ１０により送り出された原稿Ｓを１枚ずつに分離する分離部を構成する分離パット１５及びこの分離パット１５に圧接する分離ローラ５と、原稿載置台２に積載された原稿Ｓの先端位置を規制する原稿ストッパ９と、原稿載置台上の原稿Ｓの有無を検知する原稿有無センサ６とが設けられている。
【００３２】
さらに、このＵターン経路１４の下流端側には、原稿Ｓを原稿排出台３に排出するための原稿排紙手段に相当する排出ローラ対１１ａ、１１ｂと、原稿Ｓの先端部及び後端部を検出する第一の原稿エッジセンサ８が設けられている。
【００３３】
なお、同図において、搬送ローラ７は、第１〜第４搬送コロ７ａ〜７ｄと共に原稿搬送手段を構成し、原稿Ｓを挟持しながら搬送する。１６は分離ローラ５の軸と同軸上に回転自在に設けられたピックアップアームであり、このピックアップアーム１６の回動端にピックアップローラ１０が回転自在に保持されている。本実施例では、１ローラによる搬送機構としたが、複数のローラ対からなる搬送機構でも同様の効果は得られる。
【００３４】
そして、この保持手段であるピックアップアーム１６により、下ガイドフレーム２１の上方に配置されたピックアップローラ１０は、原稿Ｓの接離可能に保持されると共に、原稿を送り出す際は、このピックアップアーム１６の下方回動に伴って回転しながら原稿Ｓに当接するようになっている。
【００３５】
操作者が原稿Ｓを原稿載置台２に載置してセットするとき、画像面を上側にしてセットする。原稿Ｓの先端位置が原稿ストッパ９によって規制され、また原稿有無センサ６により原稿有りを検知する。なお、この原稿ストッパ９は、後述するようにピックアップアーム１６が下方回動すると、ピックアップアーム１６により押し下げられるようになっている。
【００３６】
１ｃはピックアップローラ１０及び搬送ローラ７により搬送された原稿Ｓを読取るための画像読取部であり、この画像読取部１ｃは読取ガラス１２と、読取ガラス１２の下方に設けられた密着型イメージセンサ１３（以下、ＣＩＳ：Ｃｏｎｔａｃｔ  Ｉｍａｇｅ  Ｓｅｎｓｏｒ）とを備えている。本実施例では、ＣＩＳを採用したがＣＣＤを用いた縮小光学系でも同様の効果は得られる。
【００３７】
ここで、このＣＩＳ１３は光源としての不図示のＬＥＤアレイから原稿Ｓの画像情報面に光を照射し、画像情報面で反射した反射光をセルフォックレンズ（商標）でセンサ素子に結像して画像情報を読取るものである。
【００３８】
以上の構成は、原稿が片面の場合に適用できる片面読取り構成を示すものである。
【００３９】
１ｂは着脱可能な本発明の特徴となる所の両面読取りを可能とする原稿反転ユニットである。図３に於いて図示する矢印方向に着脱可能な構成としている。着脱手段は例えば、挿込片と、この挿込片と係止できる挿込孔を装置本体１ａと原稿反転ユニット１ｂとの衝合面の好みの個処に設ければ良い（図示せず）。
【００４０】
３２は略Ｕ字形に構成した第２原稿搬送経路で、外周ガイド２７と内周ガイド２６で構成される。原稿反転手段に相当する反転ローラ２３および対向する対向コロ２３ａ、２３ｂによって原稿を搬送する。
【００４１】
また、２９は第二の原稿エッジセンサで、第２原稿搬送経路３２を通って読取位置に向かう原稿の先端を検出する。
【００４２】
３３は両面原稿搬送経路、３７は排紙フラッパーで図示しない駆動源により、原稿Ｓを第２原稿搬送経路３２方向に搬送するか、両面原稿搬送経路３３の方向に搬送するかを切り分ける。両面原稿搬送経路３３を通過した原稿Ｓは両面排紙ローラ対３５ａ、３５ｂによって両面排紙トレイ３６上に原稿を排出する。両面原稿搬送経路３３はＵ字型の構造とし、排出される原稿Ｓの表裏を反転させながら原稿Ｓを排出させることができる。即ち、原稿は表面を下向きにして両面排紙トレイ３６に連続積載されるため、ページ順を保ったまま全原稿を排出させることができる。
【００４３】
そして、操作者が不図示の操作部から読取開始を指示すると、まず不図示のモータが回転してピックアップアーム１６が下方回動し、これにより原稿ストッパ６が押し下げられる。この後、ピックアップローラ１０が原稿載置台２に積載された最上位の原稿Ｓに当接し、この最上位の原稿Ｓを送り出す。
【００４４】
次に、この最上位の原稿Ｓは押し下げられた原稿ストッパ９の上端面を通り、分離ローラ５及び分離パット１５によって他の原稿から分離され、Ｕターン経路１４の内部へと送り込まれる。さらに、このようにＵターン経路１４の内部へと送り込まれた原稿Ｓは、搬送ローラ７と対向するコロ７ａ〜７ｄによって、画像読取部１ｃにおいて、原稿Ｓの表面がＣＩＳ１３により画像情報が読取られる読取位置に向かって搬送される。
【００４５】
その間、第一の原稿エッジセンサ８により原稿Ｓの先端部が検知されると、ピックアップローラ１６が上方回動し、分離ローラ５の動力が切れて給紙動作が停止する。その位置から所定量搬送されたところで原稿読取部１ｃに達し、ＣＩＳ１３による画像情報の読取が開始される。また、この後、第一の原稿エッジセンサ８により原稿Ｓの後端部が検知されると、その位置から所定量搬送されたところで、ＣＩＳ１３による画像情報の読取を終了する。
【００４６】
次に本発明の特徴とする両面画像読取の一連動作について図４および図５ないし図１３を用いて詳細に説明する。
【００４７】
（Ｓ１．）  原稿有無センサ６が原稿Ｓの存在を検知する。
【００４８】
詳細図：図５
（Ｓ２．）  図示しないスタートキー押下後、図示しないモータが回転し、ピックアップローラ１０が回転しながらピックアップアーム１６が図示する矢印方向へと原稿Ｓに接触する。分離ローラ５も図示する矢印方向に回転し、１枚ずつに分離搬送する。搬送ローラ７、排出ローラ対１１ａ，１１ｂ、反転ローラ２３、両面排紙ローラ対３５ａ，３５ｂも同時にそれぞれ図示する矢印方向に回転を始める。
【００４９】
詳細図：図６
（Ｓ３．）  搬送ローラ７が原稿Ｓを第一の原稿エッジセンサ８の方向に搬送する。
【００５０】
詳細図：図７
（Ｓ４．）  第一の原稿エッジセンサ８が原稿の先端を検知した後、所定の時間経過後、ＣＩＳ１３が原稿の走査を開始し、所定の時間経過後、ピックアップローラ１０および分離ローラ５の回転が停止する。回転の接続および切断は図示しないクラッチを用いている。
【００５１】
（Ｓ５．）  原稿Ｓが排出ローラ対１１ａ，１１ｂにニップし、原稿Ｓの先端が反転センサ２２にて検知され、原稿Ｓの後端が第一の原稿エッジセンサ８を通過してＯＦＦになり、所    定の時間経過後にＣＩＳ１３の走査が終了する（原稿Ｓ表面読取終了）。
【００５２】
（Ｓ６．）  反転センサ２２は原稿Ｓの後端の通過後ＯＦＦになり、所定の時間経過後にモータが停止して全ての駆動が停止状態になる。
【００５３】
詳細図：図８、図９
（Ｓ７．）  モータが逆回転し、搬送ローラ７、排出ローラ対１１ａ，１１ｂ、両面排紙ローラ対３５ａ，３５ｂも同時にそれぞれ図示する矢印方向と反対方向に回転を始める。反転ローラ２３は図示しないクラッチにより、回転方向を変えずに回転を始める。原稿Ｓは図９に示すように、反転パスの第２原稿搬送経路３２方向に進行し、Ｕターンしてバックアップコロ（対向コロ）２３ｂの下方の開口部から画像読取部１ｃ方向に向かって再度進入する。このとき排紙フラッパー３７は図示する矢印方向に移動し、原稿Ｓの紙パスを制御している。
【００５４】
また原稿Ｓの長さが十分長い場合、図１０に示すように原稿後端は読取ガラス１２と搬送ローラ７との間を移動している場合がありうるが、この場合は、画像読取の対象となる原稿は搬送ローラ７の下方で原稿自分自身とすれ違いながら搬送する。
【００５５】
詳細図：図９、図１０
（Ｓ８．）  第二の原稿エッジセンサ２９が原稿先端を検知する前に、モータは正転に切り替わり、搬送ローラ７、排出ローラ対１１ａ，１１ｂ、両面排紙ローラ対３５ａ，３５ｂがそれぞれ図９から図１０に図示する矢印方向に回転を始める。またＣＩＳ１３によって原稿Ｓの裏面情報が走査される。
【００５６】
詳細図：図１１、図１２
（Ｓ９．）  第二の原稿エッジセンサ２９が原稿Ｓ後端の通過を検知した後、所定の時間経過後、原稿Ｓの走査を終了する（原稿Ｓ裏面読取終了）。
【００５７】
（Ｓ１０．）  原稿後端が反転センサ２２を通過して同センサがＯＦＦになった後、排紙フラッパ−３７は図示する矢印方向へと移動し、両面原稿搬送経路３３へと原稿Ｓの紙パスを制御する。モータは再度逆転を始めて搬送ローラ７、排出ローラ対１１ａ，１１ｂ、両面排紙ローラ対３５ａ，３５ｂがそれぞれ図示する矢印方向に回転する。
【００５８】
詳細図：図１２
（Ｓ１１．）  原稿Ｓは両面排紙ローラ対３５ａ，３５ｂに挟持されて排紙トレイ３６上に原稿表面を下に向けながら排出される。
【００５９】
詳細図：図１３
（Ｓ１２．）  原稿Ｓの後端が反転センサ２２を通過し、該センサがＯＦＦになって所定時間経過後、原稿Ｓが排出されモータは再び正転する。搬送ローラ７、排出ローラ対１１ａ、両面排紙ローラ対３５ａが正転して、ピックアップローラ１０が下方回動して次の原稿Ｓを搬送する（即ちＳ１と同一状況となる。）。
【００６０】
以下に本発明の特徴となる、搬送ローラ７が逆転し、原稿Ｓが画像読取部１ｃを通過する際の動作について、それぞれ図１４（実施例１）、図１７（実施例２）を用いて構成と共に説明する。
【００６１】
なお、下記の実施例はいずれも上述の構成を備えた場合について記述してあるが、要は原稿の表裏両面を反転させて搬送する構成が同一のもので正逆反転する構成であれば、すべての両面画像読取装置に適用できる。
【実施例１】
【００６２】
図１４に基づいて、本発明の一実施例を説明する。
【００６３】
図において、７は前記した通り原稿を正（正転）方向または反対（逆転）方向に搬送する原稿搬送手段の搬送ローラ、１０１および１０２は、前記搬送ローラ７の外周に形成される原稿ガイド、１２は前記原稿ガイド１０１と１０２の中間にあって搬送ローラ７の最下面に配設した読取手段１ｃの読取ガラスを示し、表面中心部１２ｃに対して左右端に端面１２ａ，１２ｂを有する。
【００６４】
そして、前記原稿ガイド１０１および１０２は、前記読取ガラス１２に向って、第２の原稿ガイド面１０１ａ，１０２ａと、この第２の原稿ガイド面１０１ａ，１０２ａの端部１０１ｂ，１０２ｂから始まる第１の原稿ガイド面１０１ｃ，１０２ｃを形成して端面１０１ｄ，１０２ｄが前記読取ガラス１２の両端面１２ａ，１２ｂの下部と接続させてある。
【００６５】
上述の構成において両面読取時に、搬送ローラ７、片面排紙ローラ１１ａ，１１ｂが逆転すると、原稿Ｓの先端は原稿ガイド１０１を構成する第２の原稿ガイド面１０１ａに沿って進行し、やがて第２の原稿ガイド面１０１ａの端部１０１ｂに達する。その後、原稿Ｓの先端は第２の原稿ガイド面１０１ａの延長線の方向Ａに進行する。この第２の原稿ガイド面１０１ａの延長線は、第１の原稿ガイド面１０１ｃを飛び越えて読取ガラス１２の端面１２ａより上方に位置すると共に、第２の原稿ガイド面１０１ａの端部１０１ｂと、読取ガラス１２の端面１２ａは至近距離に位置するため、原稿Ｓの先端は読取ガラス１２の端面１２ａに引っ掛ることなく読取ガラス１２上に進行する。また、第２の原稿ガイド面１０１ａの延長線方向Ａは読取位置１２ｃより原稿ガイド１０１側で読取面に交差するので、原稿Ｓの先端は読取位置に良好に搬送される。
【００６６】
原稿Ｓの先端が読取ガラス１２から原稿ガイド１０２に進行する際には、読取ガラス１２の端面１２ｂにおいて原稿ガイド１０２を構成する第１の原稿ガイド面１０２ｃの端部１０２ｄは読取面より下方に位置するため、原稿Ｓの先端は原稿ガイド１０２に引っ掛ることなく方向Ｂに進行する。その後、原稿Ｓの先端は第１の原稿ガイド面１０２ｃに突き当たるが、このガイド面１０２ｃは原稿に対して４５°以下の傾斜のため、原稿Ｓの先端は第１の原稿ガイド面１０２ｃに引っ掛ることなく進行する。
【００６７】
上記の説明では、搬送ローラ７、片面排紙ローラ１１ａが逆転した際の説明を行ったが、搬送ローラ７、片面排紙ローラ１１ａが正転して原稿Ｓを搬送する際も同様に反対方向に作用する。
【００６８】
本実施例では原稿ガイド１０１，１０２は２つのガイド面、第２，第１の原稿ガイド面１０１ａ，１０１ｃ，１０２ａ，１０２ｃから構成されていたが、図１５、１６に示すように、原稿ガイド１０１、１０２が、１０１ａ、１０１ｃ、１０２ａ、１０２ｃ以外のガイド面１０１ｅ、１０１ｆ，１０１ｇ、１０２ｅ、１０２ｆ、１０２ｇが変形した形状も含む場合においても同様の効果が得られる。
【００６９】
本実施例では読取ガラスを用いていたが、ガラスではなくプラスチック等の透明部材で構成されていても同様の効果が得られる。
【実施例２】
【００７０】
この実施例は、原稿ガイド１０３と１０４との間の読取ガラス１２の接合端部の表面を夫々切裁し、断面Ｖ字状に形成したものを示す。
【００７１】
この実施例において両面読取時に搬送ローラ７、片面排紙ローラ１１ａ，１１ｂが逆転すると、原稿Ｓの先端は原稿ガイド１０３に沿って進行し、やがて読取ガラス１２の端点１２ａに達する。この時、読取ガラス１２と原稿ガイド１０３、１０４はアウトサート成形、インサート成形等により一体成形されており、読取ガラス１２の端点１２ａにおいて読取ガラス１２の読取面と原稿ガイド１０３、１０４は同一高さとなっているため、原稿Ｓの先端は読取ガラス１２に引っ掛ることなく方向Ｃに進行する。原稿Ｓの先端が読取ガラス１２の端点１２ｂを通過する際も同様に方向Ｄに進行する。
【００７２】
また、読取ガラス１２の端点１２ａ、１２ｂでは、読取ガラス１２と原稿ガイド１０３、１０４の角部に傾斜部１２ｃ、１２ｄ、１０３ａ、１０４ａが設けられている。これにより、傾斜部１２ｃ、１２ｄ、１０３ａ、１０４ａの高さ１０５の範囲で、原稿Ｓの先端カールや、読取ガラス１２の端点１２ａ、１２ｂに成形時に生じる読取ガラス１２と原稿ガイド１０３、１０４の段差を吸収することが出来る。
【００７３】
上記の説明では、搬送ローラ７、片面排紙ローラ１１ａが逆転した際の説明を行ったが、搬送ローラ７、片面排紙ローラ１１ａが正転して原稿Ｓを搬送する際も同様である。
【００７４】
本実施例では読取ガラスを用いていたが、ガラスではなくプラスチック等の透明部材で構成されていても同様の効果が得られる。
【００７５】
なお、図示しないが、原稿ガイド１０１，１０２，１０３，１０４と読取ガラス１２の接続端面には段差を設けないで面一に形成することもできる。
【図面の簡単な説明】
【００７６】
【図１】本発明の両面画像読取とした場合の一実施例を示す画像読取装置の斜視図である。
【図２】図１の要部の拡大断面図である。
【図３】図１を分割した状態の斜視図である。
【図４】本発明の両面画像読取装置の両面読取動作シーケンス図である。
【図５】図４を補足する詳細動作図である。
【図６】図４を補足する詳細動作図である。
【図７】図４を補足する詳細動作図である。
【図８】図４を補足する詳細動作図である。
【図９】図４を補足する詳細動作図である。
【図１０】図４を補足する詳細動作図である。
【図１１】図４を補足する詳細動作図である。
【図１２】図４を補足する詳細動作図である。
【図１３】図４を補足する詳細動作図である。
【図１４】本発明の二実施例を示す要部の拡大断面説明図である。
【図１５】本発明の二実施例を示す要部の拡大断面説明図である。
【図１６】本発明の二実施例を示す要部の拡大断面説明図である。
【図１７】本発明の二実施例を示す要部の拡大断面説明図である。
【図１８】従来例を示す図である。
【図１９】従来例を示す図である。
【符号の説明】
【００７７】
１    原稿給送装置
１ａ  原稿給送装置本体
１ｂ  原稿反転ユニット
１ｃ  画像読取部（読取手段に相当）
７    搬送ローラ（原稿搬送手段に相当）
１１ａ、１１ｂ    排出ローラ対（片面排出ローラ）
１２    読取ガラス
１３    密着型イメージセンサ（ＣＩＳ）
２３  反転ローラ（原稿反転手段に相当）
１０１、１０２、１０３、１０４  原稿ガイド
１０１ａ，１０２ａ  第２の原稿ガイド面
１０１ｃ、１０２ｃ  第１の原稿ガイド面
【図１】
2006180259.tif 000003
【図２】
2006180259.tif 000004
【図３】
2006180259.tif 000005
【図４】
2006180259.tif 000006
【図５】
2006180259.tif 000007
【図６】
2006180259.tif 000008
【図７】
2006180259.tif 000009
【図８】
2006180259.tif 000010
【図９】
2006180259.tif 000011
【図１０】
2006180259.tif 000012
【図１１】
2006180259.tif 000013
【図１２】
2006180259.tif 000014
【図１３】
2006180259.tif 000015
【図１４】
2006180259.tif 000016
【図１５】
2006180259.tif 000017
【図１６】
2006180259.tif 000018
【図１７】
2006180259.tif 000019
【図１８】
2006180259.tif 000020
【図１９】
2006180259.tif 000021